(57)【特許請求の範囲】
【請求項１】
伸縮糸および非伸縮糸から編成される伸縮性経編地であって、該生地が無緊張状態のときに、周囲の海領域と緊縮力が相違する島領域を有し、該島領域は、編地経方向に、編地長さ１ｃｍあたりの同一伸縮糸の編込み長が、前記海領域のそれと５％以上３００％以下の差を有して編成された編糸を含んで構成されている領域であるとともに、該経編地長さ２００ｃｍにおいて少なくとも１個存在することを特徴とする伸縮性経編地。
【請求項２】
周囲の海領域と緊縮力が相違する島領域の面積が、１ｃｍ2 以上であることを特徴とする請求項１記載の伸縮性経編地。
【請求項３】
前記面積が１ｃｍ2 以上である島領域が、編地面積中１〜４００島／ｍ2 存在することを特徴とする請求項２記載の伸縮性経編地。
【請求項４】
伸縮糸と非伸縮糸とを用いて伸縮性経編地を編成するに際して、該伸縮糸を経糸ビームに形成することなく、個々の該伸縮糸の巻糸体から、直接、該巻糸体の軸方向に糸取りがされ解舒されるように構成し、かつ、該解舒された伸縮糸を、各伸縮糸ごとに糸張力調整装置に通過させて、該伸縮糸の長さ方向に編成張力を変動させて編成し、伸縮糸による緊縮力が周囲の海領域と相違して編成される緊縮領域を島状に形成しつつ編成することを特徴とする伸縮性経編地の製造方法。
【請求項５】
前記該伸縮糸の長さ方向の編成張力を、少なくとも経方向編地長さ１ｃｍを編成する間において、５％以上３００％以下変動させて編成することを特徴とする請求項４記載の伸縮性経編地の製造方法。
【請求項６】
請求項１〜３のいずれかに記載の伸縮性経編地が使用されて形成されてなることを特徴とするスポーツウェア。
【請求項７】
周囲の海領域と緊縮力が相違する島領域の面積が１ｃｍ2 以上であり、該島領域が、編地面積中１〜４００島／１ｍ2 存在することを特徴とする請求項６記載のスポーツウェア。
【請求項８】
請求項１〜３のいずれかに記載の伸縮性経編地が使用されて形成されてなることを特徴とするインナーウェア。
【請求項９】
周囲の海領域と緊縮力が相違する島領域の面積が１ｃｍ2 以上であり、該島領域が、編地面積中１〜４００島／１ｍ2 存在することを特徴とする請求項８記載のインナーウェア。
【発明の詳細な説明】
【技術分野】
【０００１】
本発明は、伸縮性経編地およびその製造方法に関する。
【０００２】
特に、ランジェリー、ファンデーション等のインナーウェアや、アクティブウェア、レオタード等のスポーツウェアに好適に使用される伸縮性経編地とその製造方法に関するものである。
【背景技術】
【０００３】
ランジェリー、ファンデーション等のインナーウェアや、アクティブウェア、レオタード等のスポーツウェアには、ポリウレタン弾性糸等の伸縮糸を編み込むことにより伸縮性を付与した伸縮性布帛が用いられている。この伸縮性布帛としては、経編地、丸編地等の編地が一般に用いられている。
【０００４】
伸縮性経編地は、通常、トリコット編機やラッシェル編機が用いられて、ナイロン糸、ポリエステル糸、綿糸等の非伸縮糸と、ポリウレタン弾性繊維糸やポリエステル複合加工糸や捲縮加工糸等の伸縮糸と交編される。
【０００５】
また、近年、特にガードルやショーツなどのウェアは、大腿部や臀部下部等の緊迫力を部分的に高めて、着用中の裾部の反り返りや身体へのフィット感を高めたり、縫製部の違和感を軽減させるべくシームレス化が追求され、そのため、素材として用いられる伸縮性経編地においては一枚の布帛の中にパワーの強い部分と弱い部分を形成したり、柄による外観変化等、複雑なものが求められている（特許文献１）。
【０００６】
生地の部分的にパワーを変える方法としては、パワーを強くする部分の伸縮糸の繊度を太くするかあるいは本数を増やす方法が用いられている。経編機の構造から使用される糸は前工程において多糸条にしてビームに揃えて巻き取られ、そのビームをシャフトに刺し、経編機に装着しシャフトを駆動することにより、ビームに巻かれた多糸条の糸が同時に解舒され経編機の筬に給糸される。
【０００７】
そのため、反物の幅方向においてパワーの強い領域を部分的に作る場合は、その部分に給糸される伸縮糸の繊度を太くする、すなわち、前工程たる整経工程において、ビームのしかるべき位置に太い繊度の伸縮糸が巻かれるように段取りする。あるいは、繊度の太い伸縮糸だけを別のビームに必要な本数だけ巻き取り、該ビームを別のシャフトに刺して経編機の別の駆動軸として給糸する方法がとられている。
【０００８】
しかしながら、この方法では生地の幅方向に対してパワーを部分的に変化させる、いわゆるストライブ状のパワー変化は可能であるが、生地の長手方向に対してパワーを部分的に変化させることはできない。
【０００９】
要するに、生地の長手方向に対してパワーを部分的に変化させるためには、編成中に伸縮糸の編成張力を一時的に変化させるか、あるいは、途中で繊度や伸縮特性の違う伸縮糸と繋ぎ変える必要がある。後者は、量産工程で実施することは効率の点で実現性は極めて低い。前者については、まず伸縮糸の編成張力を調整する機構が必要であるが、従来の方法では全ての糸条の張力が均一になること、また、常に均一になることが目的とされ、一時的に張力を変化させることや特定の位置の糸条の張力だけを変化させることはできない。
【００１０】
そのため、生地の長手方向に対して、任意に部分的にパワーを変化させることは不可能であり、生地の反物の中で所望の位置に島状にパワーを変化さぜることは不可能であった。
【特許文献１】特開２０００−３０３２０９号公報
【発明の開示】
【発明が解決しようとする課題】
【００１１】
本発明の目的は、上述のような点に鑑み、伸縮性に優れるとともに、着用快適性の良好なインナーウェアやスポーツウェアなどに好適な伸縮性経編地とその製造方法を提供すること、さらに、該伸縮性編地を用いてなる伸縮性に優れるとともに、着用快適性の良好なインナーウェアやスポーツウェアを提供することにある。
【課題を解決するための手段】
【００１２】
上述した目的を達成する本発明の伸縮性経編地は、以下の（１）の構成を有する。
（１）伸縮糸および非伸縮糸から編成される伸縮性経編地であって、該生地が無緊張状態のときに、周囲の海領域と緊縮力が相違する島領域を有し、該島領域は、編地経方向に、編地長さ１ｃｍあたりの同一伸縮糸の編込み長が、前記海領域のそれと５％以上３００％以下の差を有して編成された編糸を含んで構成されている領域であるとともに、該経編地長さ２００ｃｍにおいて少なくとも１個存在することを特徴とする伸縮性経編地。
【００１３】
また、かかる本発明の伸縮性経編地において、より好ましくは、下記（２）〜（３）のいずれかの具体的構成を有するものである。
（２）周囲の海領域と緊縮力が相違する島領域の面積が、１ｃｍ2 以上であることを特徴とする請求項１記載の伸縮性経編地。
（３）前記面積が１ｃｍ2 以上である島領域が、編地面積中１〜４００島／ｍ2 存在することを特徴とする請求項２記載の伸縮性経編地。
【００１４】
また、上述した目的を達成する本発明の伸縮性経編地の製造方法は、以下の（４）の構成からなる。
（４）伸縮糸と非伸縮糸とを用いて伸縮性経編地を編成するに際して、該伸縮糸を経糸ビームに形成することなく、個々の該伸縮糸の巻糸体から、直接、該巻糸体の軸方向に糸取りがされ解舒されるように構成し、かつ、該解舒された伸縮糸を、各伸縮糸ごとに糸張力調整装置に通過させて、該伸縮糸の長さ方向に編成張力を変動させて編成し、伸縮糸による緊縮力が周囲の海領域と相違して編成される緊縮領域を島状に形成しつつ編成することを特徴とする伸縮性経編地の製造方法。
【００１５】
また、かかる伸縮性編地の製造方法において、より好ましくは、下記（５）の具体的構成を有するものである。
（５）前記該伸縮糸の長さ方向の編成張力を、少なくとも経方向編地長さ１ｃｍを編成する間において、５％以上３００％以下変動させて編成することを特徴とする上記（４）記載の伸縮性経編地の製造方法。
【００１６】
また、上述した目的を達成する本発明のスポーツウェアあるいはインナーウェアは、以下の（６）〜（９）のいずれかの構成を有する。
（６）上記（１）〜（３）のいずれかに記載の伸縮性経編地が使用されて形成されてなることを特徴とするスポーツウェア。
（７）周囲の海領域と緊縮力が相違する島領域の面積が１ｃｍ2 以上であり、該島領域が、編地面積中１〜４００島／ｍ2 存在することを特徴とする上記（６）記載のスポーツウェア。
（８）上記（１）〜（３）のいずれかに記載の伸縮性経編地が使用されて形成されてなることを特徴とするインナーウェア。
（９）周囲の海領域と緊縮力が相違する島領域の面積が１ｃｍ2 以上であり、該島領域が、編地面積中１〜４００島／ｍ2 存在することを特徴とする上記（８）記載のインナーウェア。
【発明の効果】
【００１７】
本発明によれば、伸縮性に優れるともに、着用快適性の良好なインナーウェアやスポーツウェアなどに好適な伸縮性経編地とその製造方法が提供される。
【００１８】
また、該本発明の伸縮性経編地を用いて、伸縮性に優れるともに、着用快適性の良好なインナーウェアやスポーツウェアが提供される。
【発明を実施するための最良の形態】
【００１９】
以下、図面などに基づいて、更に詳しく本発明について説明する。
【００２０】
図１は、本発明にかかる伸縮性経編地の編成方法をモデル的に示した概要図である。
【００２１】
図２は、本発明にかかる伸縮性経編地における周囲の海領域と緊縮力が相違する島領域の存在状態の１例を示した概略図である。
【００２２】
本発明の伸縮性経編地は、伸縮糸および非伸縮糸から編成される伸縮性経編地であって、該生地が無緊張状態のときに、周囲の海領域と緊縮力が相違する島領域を有し、該島領域は、編地経方向に、編地長さ１ｃｍあたりの同一伸縮糸の編込み長が、前記海領域のそれと５％以上３００％以下の差を有して編成された編糸を含んで構成されている領域であるとともに、該経編地長さ２００ｃｍにおいて少なくとも１個存在することを特徴とする。
【００２３】
本発明において、無緊張状態とは、編地を２４時間以上標準状態で、自由放縮させたときの状態をいう。
【００２４】
本発明において、島領域とは、周囲の海領域と緊縮力が相違して存在する領域を言い、該編地を肉眼で観察した場合、丸や楕円あるいは三角形や四角形等の多角形状あるいは丸や楕円と多角形などが複合された輪郭形状を呈して、その周囲と編地性状が相違して観察できる部分をいう。
【００２５】
また、島領域の面積は、該生地が無緊張状態のときに、編地を１ｃｍ四方ごとのマス目状に分割し、島領域の内側にあるマス目の数を数え（Ａ）とする。次に、島領域の外周線を部分的に超えるマス目について、個々に島領域の外周線の内側に相当する部分を目分量にてひとマス目に対する比率を求め（例えば、１／２、１／３、２／３等）、各マス目の数にその比率を掛けた値を個々のマス目毎に求め、その値の和を（Ｂ）とし、（Ａ）＋（Ｂ）×１ｃｍ2 ＝島領域の面積とするものである。
【００２６】
本発明において、「伸縮糸」とは、一般に伸縮する特質を有する糸のことをいい、いわゆるスパンデックス糸と呼ばれる糸などが該当し、市販の糸では、「ライクラ」（登録商標、オペロンテックス社製）などが該当する。
【００２７】
また、本発明において、「非伸縮糸」とは、伸縮特性を有さない糸をいい、代表的には、ポリアミド繊維、ポリエステル繊維、綿糸などが該当する。
【００２８】
本発明にかかる伸縮性経編地は、該生地が無緊張状態のときに、周囲の海領域と緊縮力が相違する島領域を有し、該島領域は、編地経方向に、編地長さ１ｃｍあたりの同一伸縮糸の編込み長が、前記海領域のそれと５％以上３００％以下の差を有して編成された領域であるとともに、該経編地長さ２００ｃｍ（編方向の長さ２００ｃｍの直線１本当たり）において少なくとも１個存在するものであり、図２に示したように、周囲の海領域９と、緊縮力が相違する島領域１０を有してなり、これらの両領域が、本発明の編地１１に、意匠効果やデザイン効果を与えるものである。
【００２９】
島領域は、編地長さ１ｃｍあたりの同一伸縮糸の編込み長が、該海領域のそれと５％以上３００％以下の差を有している。
【００３０】
該同一伸縮糸の編込み長の差は、以下の数式によるものである。
編込み長の差（％）＝（島領域中の編糸長さ／海領域中の編糸長さ）×１００
【００３１】
本発明の伸縮性経編地において、好ましくは、周囲の海領域と緊縮力が相違する島領域の面積が１ｃｍ2 以上であることである。島領域の面積は、意匠効果やデザイン効果の点から、１ｃｍ2 以上であることが好ましく、あまり大きいとそれら効果がわかりにくくなるので、３０００ｃｍ2 以下程度とするのがよい。
【００３２】
この島領域は、その領域外形線が少なくとも曲線を呈して形成されてなることが好ましく、直線の外形では得ることのできない、意匠効果やデザイン効果を奏することが自在にできるものである。
【００３３】
具体的な島領域の形状は、図２に示したような、四角形状のものや、多角形、円、楕円、三日月、帯状など、適宜に採用することができるが、一般的には、水玉模様、ペーズリー模様、ドーナツ状模様等が好ましい。
【００３４】
面積が１ｃｍ2 以上である島領域は、編地面積中１〜４００島／１ｍ2 存在することが好ましい。たとえば、ブラジャー用などの比較的小さなインナー類用途においては、２００〜４００島／ｍ2 存在することが好ましく、また、ロングタイツ等などの比較的大きなウェアー類用途においては、１〜１０島／ｍ2 存在することが好ましいが、特に限定されるものではない。
【００３５】
前記伸縮糸と前記非伸縮糸の混用比率（重量比率）は、伸縮糸／非伸縮糸＝１０／９０〜５０／５０であることが好ましく、より好ましくは、伸縮糸／非伸縮糸＝２０／８０〜４０／６０である。
【００３６】
本発明の伸縮性経編地は、以下の方法により製造することができる。
【００３７】
すなわち、伸縮糸と非伸縮糸とを用いて伸縮性経編地を編成するに際して、該伸縮糸を経糸ビームに形成することなく、個々の該伸縮糸の巻糸体から、直接、該巻糸体の軸方向に糸取りがされ解舒されるように構成し、かつ、該解舒された伸縮糸を、各伸縮糸ごとに糸張力調整装置に通過させて、該伸縮糸の長さ方向に編成張力を変動させて編成し、伸縮糸による緊縮力が周囲の海領域と相違して編成される緊縮領域を島状に形成しつつ編成することを特徴とする伸縮性経編地の製造方法である。
【００３８】
かかる方法において、より好ましくは、伸縮糸の長さ方向の編成張力を、少なくとも経方向編地長さ１ｃｍを編成する間において、５％以上３００％以下変動させて編成することである。
【００３９】
この方法を図２に基づいて説明すると、１は伸縮糸の巻糸体、２は糸張力調整装置、３はガイド筬、４は編糸（伸縮糸）、５は編み針、６は編目、７はトリックプレート、８は糸の収束ガイドである。
【００４０】
図２に示したように、伸縮糸は巻き糸体１からその軸方向に引き出す、いわゆるタテ取り方式にて引き出され、糸張力調整装置２によって編み込み時の張力を制御されながら編み針５で編目ループ６を形成して編地を編成していく。４は張力を制御されている伸縮糸の編糸であり、例えば、張力を大きくかけて編み込むと、伸縮糸により形成されるループは縮む力が強くなり、張力を小さくして編み込むと、同ループは縮む力が弱くなり、生地中で縮む力が強いところと縮む力が弱いところを、任意に編方向に形成する効果を持つ経編地を得ることができるのである。
【００４１】
糸張力調整装置２による編み込み時の張力の制御は、明確に編み地中において、交編する伸縮糸の長さに差異が生ずるように、上述のように、少なくとも経方向編地長さ１ｃｍを編成する間において、５％以上３００％以下変動させて編成することであり、かつ、編み組織中で隣接する伸縮糸編糸は複数本を同様レベルで制御して、領域を形成するようにする。例えば、隣接して編成されていく２０本〜７００本は同一の制御を受けるように基本的に設計し、あとは、模様に応じて、所望のループ数を編み込んだ後、該模様の端部あるいは中央部などから徐々に糸張力を海領域の糸と同じレベルに戻していく。
【００４２】
従来のビーム給糸方式にせずに、タテ取り方式にしているのは、張力に対応して自在に糸が解舒されていくことができるようにするためである。ビーム給糸方式の場合は、積極的にビームを回転させて、糸が送り出されるようにしなければならないので、本発明には適さないものである。
【００４３】
なお、以上の説明において、「無緊張状態」とは、外力による付加がかからない状態をいい、編み地のときは、標準状態の温湿度環境下で少なくとも２４時間以上放置した状態をいい、編み糸のときは、巻き糸体（ボビン）から糸をほどき標準状態の温湿度環境下で少なくとも２４時間放置した状態のことをいう。
【００４４】
また、同一伸縮糸の編み込み長を測定するときは、同一ウエール上の伸縮糸を編地より分解し、解いた分解糸を標準状態の温湿度環境下で２４時間放置後に行うものである。
【実施例】
【００４５】
図３に示した編組織で、本発明にかかる編地（実施例１）、本発明によらない編地（比較例１）を作成した。
【００４６】
実施例１、比較例１
実施例１、比較例１ともに、以下のように、伸縮糸と非伸縮糸を編糸に用いて編成した
（１）筬１（非伸縮糸、地組織）：ポリアミド糸、４４ｄｔｅｘ（東レ（株）製）
（２）筬２（伸縮糸、第１弾性糸）：スパンデックス糸“ライクラ”（登録商標）Ｔ−１２７Ｃ、３１０ｄｔｅｘ（オペロンテックス（株）製）
（３）筬３（伸縮糸、第２弾性糸）： スパンデックス糸“ライクラ”（登録商標）Ｔ−１２７Ｃ、４４ｄｔｅｘ（オペロンテックス（株）製）
【００４７】
編組織は、実施例１、比較例１ともに、筬１は２３／２１／１２／１０／１２／２１／、筬２は００／１１／×３、筬３は００／１１／００／３３／２２／３３／とした。
【００４８】
ランナーは、実施例１では、海部は総糸本数を３６００本とし、島部を形成する糸本数を１００本とした。
【００４９】
筬１（非伸縮糸、地組織）は１１００ｍｍ／Ｒ、筬２（伸縮糸、第１弾性糸）は島部が１００ｍｍ／Ｒ、海部は１４０ｍｍ／Ｒ、筬３（伸縮糸、第２弾性糸）は３００ｍｍ／Ｒとした。
【００５０】
なお、島部は（６５０）コースを１００ｍｍ／Ｒとした後、（６５０）コースを１４０ｍｍ／Ｒとなるようにリピート切替し編成した（参考：仕上げ生地では長さ１０ｃｍに相当するもの）。
【００５１】
比較例１のランナーは、筬１（非伸縮糸、地組織）と筬３（伸縮糸、第２弾性糸）は、実施例１と同一とし、筬２（伸縮糸、第１弾性糸）は島部なし、海部は実施例１と同一とした。
【００５２】
仕上がり密度は、実施例１では、海部がウェール５５本／インチでコース１５０本／インチ、島部がウェール５７本／インチでコース１５０本／インチだった。比較例１では、海部は実施例１同様であった（海部はなし）。
【００５３】
緊縮力は、実施例１では海部が１０ＣＮ、島部が３０ＣＮ、比較例１では海部が９ＣＮ、島部なしであった。
【００５４】
編込み長さの差は、実施例１では島部は海部に対し３０％短く、比較例１では有意差はなかった。
【００５５】
島領域の面積は、実施例１では、幅５ｃｍ×長さ１０ｃｍ＝５０ｃｍ2 であった（比較例１はなし）。
【図面の簡単な説明】
【００５６】
【図１】図１は、本発明にかかる伸縮性経編地の編成方法をモデル的に示した概要図である。
【図２】図２は、本発明にかかる伸縮性経編地における周囲の海領域と緊縮力が相違する島領域の存在状態の１例を示した概略図である。
【図３】図３は、実施例１、比較例１で編成した編地の編組織図である。
【符号の説明】
【００５７】
１  伸縮糸の巻糸体
２  糸張力調整装置
３  ガイド筬
４  編糸（伸縮糸）
５  編み針
６  編目
７  トリックプレート
８  糸の収束ガイド
９  周囲の海領域
１０  緊縮力が相違する島領域
１１  編地
【図１】
0005068616.tif 000002
【図２】
0005068616.tif 000003
【図３】
0005068616.tif 000004